(57)【特許請求の範囲】
【請求項１】
脱穀装置Ｂの下方に揺動選別装置Ｃを配設し、該揺動選別装置Ｃの揺動本体５１の前部にフィードパン５１ｂ、その後部にふるい線１１、その後部にチャフ部５５とグレーンシーブ５７を上下に配設し、該グレーンシーブ５７の前下方に唐箕３５を配設し、該唐箕３５の前方にプレファン４１を配設し、該プレファン４１を脱穀装置Ｂの前下方にオーバーハングして配置した構成において、
該プレファン４１の前部で、脱穀装置Ｂの前下方と下部フレーム２４の間に支持体６０を配置して固定し、該支持体６０は正面視逆Ｕ字状に形設し、開放部を下部フレーム２４側に向け、下部両端を下部フレーム２４上に配設する固設プレート６１・６１に固設し、
支持体６０の上部は、連結部１７ａに固設し、該連結部１７ａは、脱穀装置Ｂと選別装置Ｃの前部を支持する支持フレーム３２部に連設したことを特徴とするコンバインの選別装置。
【発明の詳細な説明】
【０００１】
【発明の属する技術分野】
本発明は、扱胴下方に配設する脱穀後の穀粒等を選別する揺動選別装置の構成に関するものである。
【０００２】
【従来の技術】
従来からコンバイン等の脱穀機における揺動選別装置は、脱穀装置のクリンプ網下方に配置して、前側を枢支し、後側をクランク軸又は偏心軸に連結して、該軸を駆動させることにより揺動させ、籾や藁屑等を後方へ送りながら選別を行い、同時に下方の唐箕からの選別風を揺動選別装置内と揺動選別装置の下方に送風することにより風選を行い、一番物や二番物や藁屑等に選別していた。
【０００３】
【発明が解決しようとする課題】
しかし、従来の多条刈りのコンバインの脱穀部において、大量の穀稈を脱穀して、揺動選別装置において選別するのであるが、できるだけ選別部を小さくして、大量の穀粒にも対応できるようにするには、唐箕の回転数を増加したり、唐箕ファンの外径を大きくして、唐箕による送風量を多くしていたが、揺動選別装置の下方における空間は限られており、唐箕の外径を大きくするには限界があった。
また、唐箕のファンへの動力伝達は、一番選別コンベアや揺動本体のクランク軸を駆動する動力伝達機構と連動しており、唐箕のファンのみ回転数を上げるには限界があるので、唐箕による負担をかげずに風量選別を十分に行うことができる構成のものが望まれていた。
【０００４】
【課題を解決するための手段】
本発明はこのような問題点を解消するために、次の如く構成したものである。
脱穀装置Ｂの下方に揺動選別装置Ｃを配設し、該揺動選別装置Ｃの揺動本体５１の前部にフィードパン５１ｂ、その後部にふるい線１１、その後部にチャフ部５５とグレーンシーブ５７を上下に配設し、該グレーンシーブ５７の前下方に唐箕３５を配設し、該唐箕３５の前方にプレファン４１を配設し、該プレファン４１を脱穀装置Ｂの前下方にオーバーハングして配置した構成において、該プレファン４１の前部で、脱穀装置Ｂの前下方と下部フレーム２４の間に支持体６０を配置して固定し、該支持体６０は正面視逆Ｕ字状に形設し、開放部を下部フレーム２４側に向け、下部両端を下部フレーム２４上に配設する固設プレート６１・６１に固設し、支持体６０の上部は、連結部１７ａに固設し、該連結部１７ａは、脱穀装置Ｂと選別装置Ｃの前部を支持する支持フレーム３２部に連設したものである。
【０００５】
【本発明の実施の形態】
本発明が解決しようとする課題及び解決するための手段は以上の如くであり、次に添付の図面に示した実施例の構成を説明する。図１はコンバイン全体側面図、図２は脱穀・選別装置側面断面図、図３は本発明のプレファンを配設した揺動選別装置の部分側面図、図４は揺動選別装置の前部を支持する枠体の正面図である。
【０００６】
図１においてコンバインの全体構成から説明すると、クローラ式走行装置１上に機体フレーム２を載置し、該機体フレーム２前端に引起し・刈取装置Ａを昇降可能に配設し、引起し・刈取装置Ａは前端に分草板３を突出して穀稈を分草し、その後部に引起しケース４を立設して該引起しケース４より突出したタインの回転により穀稈を引き起こして、分草板３後部に配設した刈刃５にて株元を刈り取り、上部搬送装置、下部搬送装置、縦搬送装置６にて後部へ搬送し、この縦搬送装置６の上端から株元がフィードチェーン７に受け継がれて脱穀装置内に穀稈を搬送し、該フィードチェーン７後端には排藁処理装置が配設されている。前記脱穀装置の側部には選別後の精粒を貯留するグレンタンク１２が配設され、該グレンタンク１２前部には運転席１９が配設されている。
【０００７】
前記脱穀装置Ｂは、図２に示すように、扱胴２０と送塵口処理胴２１が前後方向に横架され、扱胴２０周囲に扱刃２０ａ・２０ａ・・・が植設され、扱胴２０下部周囲にはクリンプ網３１を設けて籾や小さな藁くず等のみが漏下するようにしている。前記送塵口処理胴２１は、扱胴２０後部のグレンタンク１２側に扱胴２０と平行に横架しており、扱胴２０で処理できなかった枝梗付着粒等を処理して未処理物を後方に搬送して機外へ排出している。
【０００８】
前記脱穀装置Ｂ下方には揺動選別装置Ｃが配設され、該揺動選別装置Ｃは揺動本体５１による比重選別と唐箕３５による風選別により一番物と二番物と藁くず等に選別を行うものであり、揺動本体５１の前端部を扱胴２０の前端下方に配置し、揺動本体５１の後端を送塵口処理胴２１の後部下方まで延出している。
前記揺動本体５１の前下部に枢支軸５２を設けて後部をクランク軸５３に枢支して、クランク軸５３の回動により揺動するように構成されており、揺動本体５１の前部にはフィードパン５１ｂを形設し、その後部にふるい線１１を後方へ突出して配置し、その後下部に複数のチャフフィン５４・５４・・・を横設するチャフ部５５を配設し、チャフ部５５下部位置においてグレーンシーブ５７を配設している。
また、前記フィードパン５１ｂの上面にラック５６を載置し、フィードパン５１ｂの後下部には、選別風導入口５１ａを開口し、チャフ部５５上に搬送される籾を唐箕３５からの風で選別するようにしている。
【０００９】
そして、前記揺動選別装置Ｃの風選別を行う唐箕３５は、揺動本体５１の前部下方（前記選別風導入口５１ａとグレンシーブ５７始端部の間位置下方）に配設し、前記唐箕３５の後方に順に、精粒を搬送する一番選別コンベア２２、二番物を搬送する二番選別コンベア２３とを配設している。
【００１０】
前記唐箕３５は、図３に示すように、左右方向に軸芯を有する回動軸３６と該回動軸３６の両端部に嵌合する固定体３７・３７、左右の固定体３７・３７の間に横架する羽根体３８・３８・・・より構成するファンである。前記固定体３７は側面視放射状に固設部３７ａ・３７ａ・・・を形設しており、該固設部３７ａの前面に羽根体３８を固設して、回動軸３６の半径方向に複数の羽根体３８・３８・・・を配設している。
前記唐箕３５の支持構成は、下部フレーム２４上に前支持柱２５・２５と後支持柱２６・２６を立設し、該後支持柱２６・２６と前支持柱２５・２５の上下略中央部に枢結柱２７を横架し、左右の枢結柱２７・２７の間に回動軸３６を枢支することで、唐箕３５を回動自在に構成している。
また、前記唐箕３５は、前面を前ガイド板３９に被装され、下面を側面視円弧状の下ガイド板４０に被装され、唐箕３５の上面を上ガイド板１８によって被装されており、唐箕３５の左右側方より空気を導入し、下ガイド板４０より前ガイド板３９にそって選別風を発生させて、上ガイド板１８に沿って唐箕３５の後方に選別風を送風し、揺動本体５１のグレンシーブ５７の下面に選別風を送風し、風選別を行っている。
【００１１】
以上のように揺動選別装置Ｃにて選別された後の精粒は、図２に示すように、一番選別コンベア２２の前後の流穀板２８上に落ちて、一番選別コンベア２２から揚穀コンベア１３を介して脱穀装置Ｂ側方に配置したグレンタンク１２に貯留され、二番物は二番選別コンベア２３の前後の流穀板２９上に落ちて、二番還元コンベア１４によって揺動選別装置Ｃの前部へ還元されて再度選別され、塵埃等は排風ファン３０によって吸引されて後方より排出される。
【００１２】
次に、本発明において、唐箕３５と同様に揺動選別装置Ｃの前部で風選別を行うプレファン４１について図２〜図４を用いて説明する。
前記プレファン４１は回動軸４２と該回動軸４２の両端部に嵌合する固定体４３・４３、左右の固定体４３・４３の間に横架する羽根体４４・４４・・・より構成するファンであり、前記羽根体４４・４４・・・は、固定体４３を側面視放射状（本実施例においては４本）に固設部４３ａ・４３ａ・・・を形設しており、該固設部４３ａに羽根体４４を固設して、回動軸４２の半径方向に複数の羽根体４４・４４・・・を配設している。前記プレファン４１は側板４９・４９の間に位置させている。
即ち、前記側板４９に円形の吸引口４９ａを開口し、該吸引口４９ａの上下中央部に側面視略「く」字状の枢結プレート４６を固設し、左右の枢結プレート４６の間位置にファン軸４２を枢支することでプレファン４１のファンを回動自在に枢支することで、揺動本体５１の前下方にプレファン４１を回動自在に配設している。更に、前記側板４９は、前部を扱胴２０の前端部下方（揺動本体５１の前部）まで延出し、脱穀装置Ｂと選別装置Ｃの前部を支持する支持フレーム３２の後面に側板４９前部を固定している。
【００１３】
また、前記側板４９・４９の間位置には、前記プレファン４１の外周前部及び下部を側面視略円弧状に被装するガイド体４５を挟装し、更にガイド板４５の前部上部に吸引口４５ａを開口し、該吸引口４５ａの下部のガイド板４５上より接線方向に吸引ガイドプレート６３を突出し、エンジンＥによる排風をプレファン４１内部に導入可能として、プレファン４５によって発生する選別風をガイド体４５に沿って図３に示す矢印Ｓの如く選別風導入口５１ａに導入している。
なお、本実施例においは羽根体４４・４４を４方向に配設し、唐箕３５より羽根体の個数を少なく形設しているが、羽根体４４・４４・・・の本数は限定するものでなく、唐箕３５と同形状のものを使用して、唐箕３５とプレファン４１を共用部材にすることもできる。
【００１４】
また、前記下部フレーム２４の前部において、支持フレーム３２を補強する支持体６０を配設している。
該支持体６０は、図４に示すように、正面視逆Ｕ字状に形設し、開放部を下部フレーム２４側に向け、支持体６０の両端を下部フレーム２４上に配設する固設プレート６１・６１に固設している。該固設プレート６１・６１は、側面視において前後に位置をずらして（本実施例において右側の固設プレート６１を左側の固設プレート６１の直前方に）配置しており、支持体６０の一側を前方に屈曲する屈曲部６０ａを形設している。
一方、図３、図４に示すように、前記支持フレーム３２の上部には、扱胴２０の前部を支持するガイドフレーム３３を固設し、該ガイドフレーム３３の左右中央部下部に連結体１７を螺合している。該連結体１７は側面視において中央部より下部を段状に前方に屈曲して連結部１７ａを形設し、連結部１７ａを用いて支持フレーム３２の略中央位置を被装しており、連結部１７ａの前面に支持体６０の上部を固設することで、支持フレーム３２の前部を支持するので、側板４９・４９を介してプレファン４１を支持し、揺動選別装置Ｃの補強を行うことができる。また、前記支持体６０の一側を前方に屈曲させたことによって、支持フレーム３２の前方向きの荷重を受けられるように構成している。
【００１５】
このように構成することによって、揺動本体５１の前部下部にプレファン４１を安定して配設することができ、該プレファン４１を駆動することによって、吸引ガイドプレート６３に沿ってエンジンルーム内の空気を吸引して選別風を発生し、揺動本体５１の選別導入口５１ａより比重選別の為の選別風を唐箕３５とは独立して送風可能としている。更に、唐箕３５の選別風を分散させることなく揺動本体５１のグレンシーブ５７の下方に送風することができるので、大量の籾が脱穀されている場合にも一番物と二番物とを確実に選別し、藁屑等を後方に吹き飛ばすことができ、唐箕３５にかかる負担を軽減することができる。
なお、前記唐箕３５の前部に配設する前ガイド板３９を立設して、プレファン４１との間を仕切る構成にしているが、前ガイド板３９の高さを低くして、プレファン４１の選別風の一部を唐箕３５内部に導入可能に構成することによって、唐箕３５により発生する選別風の風量を増大させる構成にすることもできる。
【００１６】
【発明の効果】
以上のように構成したので、本発明は次のような効果を奏するものである。
揺動選別装置の前下部の唐箕前部にプレファンを配置したので、唐箕によって風選を行う前にフィードパンより落ちるときに風選を行い、二重に選別を行うので、選別精度が向上できる。
そして、大量に選別を行うときには唐箕による負担を低減することができ、多条刈りにおける大量に脱穀された籾を確実に選別することができる。
また、エンジンからの熱風をプレファンに送ることによって、早朝や雨後の湿った穀稈を刈り取った場合でも、確実に選別できるようになったのである。
また、プレファンは脱穀装置の前下方にオーバーハングして位置するので、その前部を支持体によって支持して強固に固定され、選別部に悪影響を与えることなく支持できる。
【図面の簡単な説明】
【図１】コンバイン全体側面図である。
【図２】脱穀・選別装置側面断面図である。
【図３】本発明のプレファンを配設した揺動選別装置の部分側面図である。
【図４】揺動選別装置の前部を支持する枠体の正面図である。
【符号の説明】
Ｃ    揺動選別装置
Ｂ    脱穀装置
２０  扱胴
３５  唐箕
４１  プレファン
４９  側板
５１  揺動本体
５５  チャフ部
５７  グレンシーブ
５０  揺動選別装置
５１  揺動本体
６０  支持体
【図１】
0003618467.tif 000002
【図２】
0003618467.tif 000003
【図３】
0003618467.tif 000004
【図４】
0003618467.tif 000005